(57)【要約】【課題】付属品の有無を外部から容易に確認することが可能で、付属品の収納漏れや入れ間違いを容易に防止し、付属品の取り出しも容易な食品用の包装容器を提供する。【解決手段】天板２１と該天板２１の前端辺に連接する前フラップ２２を有する包装容器において、天板２１の前端辺を内側に湾曲させ、該前端辺から後端辺までの最短距離Ｌ１が、容器部の側板の開口側の端辺の長さＬ２よりも短くなるように構成することで、蓋部を閉じた状態で、容器部の前板１１と前フラップ２２との間に付属品を収納する空間３０を形成する。【選択図】図１
2019048660.tif 000002
【特許請求の範囲】
【請求項１】
容器部と蓋部とがヒンジ部を介して開閉自在な包装容器であり、
前記容器部が、底板と、該底板の外周より立ち上がる前板と後板と左右の側板と、を有し、
前記蓋部が、天板と、該天板の前端辺に連接する前フラップと、を有し、
前記後板の開口側端辺と、前記天板の後端辺とが連接して前記ヒンジ部を構成する包装容器において、
前記天板の前記前端辺が内側に向かって湾曲し、
前記前端辺から前記後端辺までの最短距離Ｌ１が、前記側板の開口側の端辺の長さＬ２よりも短く、
前記前フラップを前記容器内に配置して前記蓋部を閉じた状態で、前記前フラップと前記前板との間に空間が介在することを特徴とする包装容器。
【請求項２】
前記前フラップの最大高さＨ１が、前記前板の高さＨ２の１／２以上であることを特徴とする請求項１に記載の包装容器。
【請求項３】
前記天板の前記前端辺の両端部の高さＨ３が前記前板の高さＨ２に等しいことを特徴とする請求項２に記載の包装容器。
【請求項４】
前記天板の前記前端辺の両端部において、前記天板と前記前フラップとが部分的に切り欠かれた切り欠き部を有し、
前記容器が、前記側板の開口側の端辺に連接する上フラップを有し、
前記上フラップを内側に配置して前記蓋部を閉じた状態で、前記上フラップの前記前板側の端部が前記切り欠き部より外部に突出して前記天板及び前記前フラップに係止されることを特徴とする請求項１乃至３のいずれか一項に記載の包装容器。
【請求項５】
前記天板の前記前端辺の中央部が、部分的に前記前フラップ側に突出する切り込み部であり、
前記蓋部を閉じた状態で、前記天板が前記前端辺に、前記切り込み部によって前記前フラップから分離されて前記前板側に突出する突出片を有し、前記前フラップが、前記天板との連接側に前記突出片に対応する孔部を有することを特徴とする請求項１乃至４のいずれか一項に記載の包装容器。
【発明の詳細な説明】
【技術分野】
【０００１】
本発明は、食品用の包装容器であり、特に、ソースやケチャップなどの調味料を充填した小袋を収納するポケットを有する包装容器に関する。
【背景技術】
【０００２】
特許文献１には、１枚の紙製ブランクを折り曲げて容器と蓋部とを形成した食品用の包装容器が開示されており、さらに、特許文献２，３には、保冷剤や箸などの付属品を蓋部の内側にポケットを設けて収納する包装容器が開示されている。
【先行技術文献】
【特許文献】
【０００３】
【特許文献１】特開２００９−１７９３３３号公報
【特許文献２】特開２００５−１３２４７１号公報
【特許文献３】実開昭６２−１５９４２７号公報
【発明の概要】
【発明が解決しようとする課題】
【０００４】
特許文献２，３に開示された包装容器は、付属品を収納するポケットが蓋部の内側にあるため、包装後に蓋部を閉じてしまうと、付属品の有無が外部からは容易に確認できない。そのため、付属品の有無を確認するためには、一旦閉じた蓋部を開ける必要があり、確認作業が繁雑である。また、付属品の収納漏れが有った場合や、収納する付属品の種類や数を入れ間違えた場合でも、購入者が購入店から離れた場所で食品を食するために蓋部を開けるまで気づかないおそれもあった。
【０００５】
また、付属品を蓋部の上など包装容器の外側にテープ等で留める場合もあるが、見栄えが悪く、また、購入者が付属品を取り外すのが手間であるとの問題もあった。
【０００６】
本発明の課題は、付属品の有無を外部から容易に確認することが可能で、付属品の収納漏れや入れ間違いを容易に防止し、付属品の取り出しも容易な食品用の包装容器を提供することにある。
【課題を解決するための手段】
【０００７】
本発明は、容器部と蓋部とがヒンジ部を介して開閉自在な包装容器であり、
前記容器部が、底板と、該底板の外周より立ち上がる前板と後板と左右の側板と、を有し、
前記蓋部が、天板と、該天板の前端辺に連接する前フラップと、を有し、
前記後板の開口側端辺と、前記天板の後端辺とが連接して前記ヒンジ部を構成する包装容器において、
前記天板の前記前端辺が内側に向かって湾曲し、
前記前端辺から前記後端辺までの最短距離Ｌ１が、前記側板の開口側の端辺の長さＬ２よりも短く、
前記前フラップを前記容器内に配置して前記蓋部を閉じた状態で、前記前フラップと前記前板との間に空間が介在することを特徴とする。
【０００８】
本発明の包装容器においては、以下の構成を好ましい態様として含む。
【０００９】
前記前フラップの最大高さＨ１が、前記前板の高さＨ２の１／２以上である。
【００１０】
前記天板の前記前端辺の両端部の高さＨ３が前記前板の高さＨ２に等しい。
【００１１】
前記天板の前記前端辺の両端部において、前記天板と前記前フラップとが部分的に切り欠かれた切り欠き部を有し、
前記容器が、前記側板の開口側の端辺に連接する上フラップを有し、
前記上フラップを内側に配置して前記蓋部を閉じた状態で、前記上フラップの前記前板側の端部が前記切り欠き部より外部に突出して前記天板及び前記前フラップに係止される。
【００１２】
前記天板の前記前端辺の中央部が、部分的に前記前フラップ側に突出する切り込み部であり、
前記蓋部を閉じた状態で、前記天板が前記前端辺に、前記切り込み部によって前記前フラップから分離されて前記前板側に突出する突出片を有し、前記前フラップが、前記天板との連接側に前記突出片に対応する孔部を有する。
【発明の効果】
【００１３】
本発明によれば、蓋部を閉じた状態で、蓋部の前フラップと容器部の前板との間に空間が形成されるため、食品の包装後に該空間に付属品を収納することで該付属品の有無を一目で確認することができる。また、付属品は該空間に収納するだけで、包装容器に固定する必要もない。よって、販売者、購入者の両者が、蓋部を開けることなく、販売・購入時に容易に付属品の有無を確認することができ、付属品の収納漏れや入れ間違いを容易に防止することができ、付属品の取り出しが容易な包装容器が提供される。
【図面の簡単な説明】
【００１４】
【図１】本発明の包装容器の好ましい実施形態の、蓋部を閉じた状態の斜視図である。
【図２】図１の包装容器の蓋部を開けた状態の斜視図である。
【図３】図１の包装容器の蓋部を閉じた状態の図であり、（ａ）は上面図、（ｂ）は底面図、（ｃ）は正面図、（ｄ）は右側面図、（ｅ）は背面図である。
【図４】図３（ａ）中のＡ−Ａ’断面模式図である。
【図５】図１の包装容器の展開図である。
【図６】図１の包装容器の主要な部位の寸法の説明図である。
【図７】図１の包装容器の主要な部位の寸法の説明図であり、図６の部分拡大図である。
【図８】図３（ａ）中の領域４０の拡大図である。
【図９】本発明の包装容器の他の実施形態の、蓋部を閉じた状態の斜視図である。
【図１０】図９の包装容器の展開図である。
【発明を実施するための形態】
【００１５】
本発明の包装容器は、容器部と蓋部とがヒンジ部を介して開閉自在な食品用の包装容器であり、ソースやケチャップなどの調味料を充填した小袋を付属品として収納するポケットを、外部から見える位置に設けたことに特徴を有する。以下、本発明の包装容器を図１〜図１０を参照して詳細に説明する。
【００１６】
先ず、図１に本発明の包装容器の一実施形態の蓋部を閉じた状態の斜視図を、図２に蓋部を開けた状態の斜視図を、それぞれ示す。また、図３は、図１の包装容器の蓋部を閉じた状態の図であって、図３（ａ）に上面図、（ｂ）に底面図、（ｃ）に正面図、（ｄ）に右側面図、（ｅ）に背面図を示し、図３（ａ）中のＡ−Ａ’断面模式図を図４に示す。尚、図４において、容器部の底部は後述する底板１５のみを図示し、該底板１５を支持する支持片や固定片は図示を省略する。さらに図５は図１の包装容器の展開図であり、図６、図７はその主要部位の寸法の説明図であり、図７は図６の部分拡大図である。図５中、破線は山折り部、一点鎖線は谷折り部である。またさらに、図８に、図３（ａ）中の領域４０の拡大図を示す。
【００１７】
図５に示すように、本発明の包装容器は、容器部と蓋部とからなり、１枚のシートを所定の形状に切断してブランクを形成し、所定の位置で折り曲げ、必要に応じて接着して、図１〜図３の状態に成形される。本発明に用いられるシートとしては、従来、包装容器に用いられていた素材が好ましく用いられ、具体的には紙、合成樹脂シート、或いは紙の表面に合成樹脂フィルムをコーティングした積層シートが用いられる。
【００１８】
図１〜図５に示すように、本発明の容器部は、底板１５と、該底板１５の外周より立ち上がる前板１１と後板１２と左右の側板１３，１４と、を有し、蓋部は、天板２１と、該天板２１の前端辺２１ａに連接する前フラップ２２と、を有している。そして、天板２１の後端辺２１ｄと、後板１２の開口側の端辺とが連接してヒンジ部を構成しており、蓋部は該ヒンジ部を介して開閉自在となっている。
【００１９】
本発明において、天板２１の前端辺２１ａは内側に向かって湾曲しており、図６に示すように、前端辺２１ａからヒンジ部である後端辺２１ｄまでの最短距離Ｌ１が、側板１３，１４の開口側の端辺の長さＬ２よりも短い。
【００２０】
尚、本実施形態では、天板２１の前端辺２１ａの中央部は、前フラップ２２側に突出する切り込み部２１ｂとなっており、上記最短距離Ｌ１は、図７に示すように、前端辺２１ａの湾曲部分と切り込み部２１ｂの端部との接点Ｂから後端辺２１ｄまでの距離となっているが、切り込み部２１ｂを有していない場合には、前端辺２１ａの中央部は図７中、破線で示される２１ｊの中央地点Ｃとなり、天板２１の前端辺２１ａから後端辺２１ｄまでの最短距離は、係る２１ｊの中央地点Ｃから後端辺２１ｄまでの距離Ｌ１’となる。切り込み部２１ｂについては後述する。
【００２１】
上記したように、本発明では、前端辺２１ａが内側に湾曲し、且つ、Ｌ１＜Ｌ２となっているため、前端辺２１ａにおいて前フラップ２２を天板２１より折り曲げ、前フラップ２２を内側にして蓋部を閉じると、図１，図３（ａ），図４に示されるように、天板２１の前端辺２１ａは、前板１１から離れ、該前端辺２１ａに連接されている前フラップ２２は、天板２１との連接側において該前端辺２１ａに沿って湾曲する。その結果、前フラップ２２と前板１１との間には空間３０が形成される。本発明では、該空間３０を付属品を収納するポケットとして用いる。尚、この時、天板２１も前端辺２１ａ側の中央部が上方に向かって湾曲する。
【００２２】
空間３０がポケットとして機能する上で、収納した付属品が容器部に収納した食品側に移動しないように、また、付属品が内容物と接触しないように、前フラップ２２の最大高さＨ１は、前板１１の高さＨ２の１／２以上であることが好ましい。尚、本発明においては、前板１１，後板１２，側板１３，１４は同じ高さである。
【００２３】
尚、本実施形態においては、天板２１の前端辺２１ａの中央部は、前フラップ２２側に突出する切り込み部２１ｂとなっており、前フラップ２２の最大高さＨ１は、図７に示すように、前端辺２１ａの湾曲部分と切り込み部２１ｂの端部との接点Ｂから前フラップ２２の先端辺２２ａまでの距離となっているが、切り込み部２１ｂを有していない場合には、前端辺２１ａの中央部は破線で示される２１ｊであり、前フラップ２２の最大高さは、係る２１ｊの中央地点Ｃから前フラップ２２の先端辺２２ａまでの距離Ｈ１’となる。
【００２４】
本発明においては、天板２１の前端辺２１ａが内側に湾曲していることから、前フラップ２２の最大高さＨ１は、図７に示すように、天板２１の前端辺２１ａの両端部の高さＨ３よりも高くなる。よって、天板２１の前端辺２１ａの両端部の高さＨ３を前板１１の高さＨ２に等しくすると、蓋部を閉じた状態で、前フラップ２２の先端辺２２ａは、底板１５に接し、空間３０に収納した付属品が、容器部内に収納した食品と接触することがなく、食品と付属品とで互いに汚れることが防止される仕切りの役割も果たす。
【００２５】
尚、本実施形態においては、天板２１の前端辺２１ａの両端部において、天板２１と前フラップ２２とを部分的に切り欠いた切り欠き部２１ｍが形成されているが、前端辺２１ａの両端部の高さＨ３は、該切り欠き部２１ｍが形成されていない場合の前端辺２１ａの両端部の高さである。図７において、切り込み部２１ｄが形成されなかった場合の前端辺２１ａの両端部近傍は、破線２１ｋで示され、該破線２１ｋと、破線２１ｇ’で示される天板２１の側辺２１ｇの延長線との接点Ｄが、前端辺２１ａの両端部である。よって、前端辺２２ａの高さＨ３は、接点Ｄから、先端辺２２の延長線２２ａ’と天板２１の側端辺２１ｇの延長線２１ｇ’との交点Ｅまでの距離である。
【００２６】
また、本発明において、前端辺２１ａの両端部から天板２１の後端辺２１でまでの距離Ｌ３が、天板２１の側辺２１ｇの長さであり、該距離Ｌ３は、側板１３，１４の開口側の端辺の長さＬ２と等しく形成される。
【００２７】
本発明においては、図５に示すように、天板２１の前端辺２１ａの両端部において、天板２１と前フラップ２２とを部分的に切り欠いて切り欠き部２１ｍを形成し、側板１３，１４の開口側の端辺に上フラップ１３ａ，１４ａを連接させることで、上フラップ１３ａ，１４ａを内側に配置して蓋部を閉じた際に、図８に示すように、上フラップ１３ａ，１４ａの前板１１側の端部が、上記切り欠き部２１ｍより外部に突出して天板２１及び前フラップ２２に係止され、蓋部が自然に開かなくなるため、好ましい。尚、本実施形態においては、図５に示すように、上フラップ１３ａ，１４ａの前板１１側の端部は角部を欠いて階段状に形成しているが、係る形状に限定されるものではない。また、切り欠き部２１ｍは、前端辺２１ａの両端部を一部切断し、天板２１と前フラップ２２とを部分的に切断分離しただけの切り込み部であっても良い。
【００２８】
また、本発明においては、天板２１の前端辺２１ａの中央部を、図５に示すように前フラップ２２側に突出する切り込み部２１ｂとすることで、前端辺２１ａにおいて前フラップ２２を折り曲げた際に、図２に示すように係る切り込み部２１ｂによって天板２１の前フラップ２２との連接箇所の一部が前フラップ２２から分離され、蓋部を閉じた状態で、図１，図３（ａ）、図３（ｄ）、図４に示すように、該天板２１の一部が前板１１側に突出する突出片２１ｃとなる。同時に、前フラップ２２には、天板２１との連接側に、図２，図３（ｃ）、図４に示すように、該突出片２１ｃに対応する孔部２１ｈが形成される。
【００２９】
上記突出片２１ｃは、蓋部を開く際に指をかけることができ、特に、本実施形態では、前板１１の開口側の端辺の中央部に切り欠き部１１ａを設けていることから、蓋部を開く際には、スムーズに指を突出片２１ｃにかけることができ、蓋部を容易に開くことができる。また、孔部２１ｈは包装容器内の蒸気抜きとして利用される。
【００３０】
さらに、本発明においては、天板２１の後端辺２１ｄ側においても、前端辺２１ａと同様に、後端辺２１ｄの中央部を後板２１側に突出する切り込み部２１ｅとすることで、天板２１を後端辺２１ｄにおいて折り曲げた際に、図１，図３（ａ），図３（ｄ），図４に示すように、天板２１の一部が後方に突出する突出片２１ｆとなり、後板１２の天板２１との連接側には、図３（ｅ）、図４に示すように、該突出片２１ｆに対応する孔部２１ｉが形成され、包装容器内の蒸気抜きが形成される。
【００３１】
本実施形態においては、側板１４の前板１１が連接された側端辺に対向する側端辺に固定片１４ｄを連接しており、該固定片１４ｄを後板１２に接着固定することで、容器部の周壁が形成される。
【００３２】
本実施形態においては、底板１５と前板１１，後板１２，両側板１３，１４とを接続して容器部の形状を維持するために、側板１３，１４の下端辺に、略二等片三角形の支持片１３ｂ，１４ｂを設け、さらに、該支持片１３ｂ，１４ｂの自由端の一方に固定片１３ｃ，１４ｃを連接している。支持片１３ｂ，１４ｂの側板１３，１４との連接側の角度α、βはいずれも４５°である。また、後板１２の下端辺には固定片１２ａが連接されている。よって、固定片１３ｃを固定片１２ａに、固定片１４ｃを底板１５に接着固定することで、底板１５を内側にして容器部を成形した際に、該底板１５が支持片１３ｂ，１４ｂ及び固定片１３ｃ，１４ｃによって下方から支持される。また、支持片１３ｂ，１４ｂと固定片１３ｃ，１４ｃとの連接部で折り曲げることで、一旦成形した包装容器を折り畳むことができる。よって、本実施形態の包装容器を使用直前まで折り畳んだ状態で保管することができ、省スペースで輸送、保管することができる。
【００３３】
図１〜図８に示した実施形態は、容器部の形状が直方体状であったが、図９に示すように、本発明においては容器部を底板側が狭く、開口部側で広いテーパー形状としても良い。係る形状の場合、省スペースで複数の包装容器を積み重ねることができ、店頭で販売時に成形する必要がなく、食品の包装をスムーズに行うことができる。図１０は図９の包装容器の展開図であり、図１０中の破線は山折り部である。図９，図１０において、先の実施形態と同じ部材には同じ符号を付す。
【００３４】
容器部がテーパー形状の場合、図１０に示すように、前板１１，後板１２，両側板１３，１４の形状が、開口側の端辺よりも底板１５側端辺が短い台形である以外、前板１１，後板１２，両側板１３，１４及び天板２１，前フラップ２２の基本構成とその好ましい形態については先に示した実施形態と同じである。また、本実施形態の場合、底板１５と前板１１，後板１２，両側板１３，１４とを接続して容器部の形状を維持するために、底板１５の外周に前板１１，後板１２，両側板１３，１４の下端辺を連接し、前板１１と後板１２のそれぞれの両側辺に固定片１１ｂ，１１ｃ，１２ｃ，１２ｄを連接し、固定辺１１ｂ，１２ｃを側板１３に、固定片１１ｃ、１２ｄを側板１４に接着固定する。
【符号の説明】
【００３５】
１１：前板、１１ａ，２１ｍ：切り欠き部、１２：後板、１１ｂ，１１ｃ，１２ａ〜１２ｃ，１３ｃ，１４ｃ，１４ｄ：固定片、１３，１４：側板、１３ａ，１４ａ：上フラップ、１３ｂ，１４ｂ：支持片、１５：底板、２１：天板、２１ａ，２１ｊ，２１ｋ：天板の前端辺、２１ｂ，２１ｅ：切り込み部、２１ｃ，２１ｆ：突出片、２１ｄ：天板の後端辺、２１ｇ：天板の側端辺、２１ｇ’：天板の側端辺の延長線、２１ｈ，２１ｉ：孔部、２２：前フラップ、２２ａ：前フラップの先端辺、２２ａ’：前フラップの先端辺の延長線、３０：空間（ポケット）
【図１】
2019048660.tif 000003
【図２】
2019048660.tif 000004
【図３】
2019048660.tif 000005
【図４】
2019048660.tif 000006
【図５】
2019048660.tif 000007
【図６】
2019048660.tif 000008
【図７】
2019048660.tif 000009
【図８】
2019048660.tif 000010
【図９】
2019048660.tif 000011
【図１０】
2019048660.tif 000012